(57)【要約】      （修正有）【課題】乗りかご内から透光部材を容易に着脱でき、かつ、意匠性の高い照明装置を提供する。【解決手段】エレベータ照明装置は、乗りかごの内部を照らす発光部、ブラケット２０、透光部材３０、固定具４０、カバー部５０を有する。透光部材３０は、その端部３１が天井９０に固定されたブラケット２０上に載置されて、発光部の下側に配置されて、発光部からの光を下方に透過させる。固定具４０は、ブラケット２０に対して透光部材３０の縁部３１を着脱可能に固定している。カバー部５０は、透光部材３０の縁部３１、ブラケット２０および固定具４０を下方から覆って、固定具４０の下方が開放されるように透光部材３０から離れる方向に移動可能に取り付けられている。【選択図】図９
2011068452.tif 000002
【特許請求の範囲】
【請求項１】
エレベータの乗りかごの天井に取り付けられるエレベータ照明装置であって、
前記乗りかごの内部を照らす発光部と、
前記天井に対して固定されるブラケットと、
縁部が前記ブラケット上に載置されて、前記発光部の下側に配置されて、前記発光部からの光を下方に透過させる透光部材と、
前記ブラケットに対して前記透光部材の縁部を着脱可能に固定する固定具と、
前記透光部材の縁部、前記ブラケットおよび前記固定具を下方から覆って、前記固定具の下方が開放されるように前記透光部材から離れる方向に移動可能に取り付けられるカバー部と、
を具備したことを特徴とするエレベータ照明装置。
【請求項２】
前記固定具は、前記透光部材の縁部が前記ブラケット上に載置された状態において前記透光部材の縁部および前記ブラケットに対して下方から挿入されて前記透光部材の縁部と前記ブラケットとを締結するねじであること、を特徴とする請求項１に記載のエレベータ照明装置。
【請求項３】
前記固定具はクリップであることを特徴とする請求項１に記載のエレベータ照明装置。
【請求項４】
前記カバー部を前記透光部材から離れる方向に移動した状態から前記透光部材の縁部、前記ブラケットおよび前記固定具を下方から覆った状態に付勢する付勢手段を具備したことを特徴とする請求項１ないし３のいずれか一項に記載のエレベータ照明装置。
【請求項５】
前記付勢手段は弾性体であることを特徴とする請求項４に記載のエレベータ照明装置。
【請求項６】
前記付勢手段は磁石であることを特徴とする請求項４に記載のエレベータ照明装置。
【請求項７】
前記カバー部を前記透光部材の縁部、前記ブラケットおよび前記固定具を下方から覆った状態から前記透光部材から離れる方向に移動しないように掛止するロック手段を具備したことを特徴とする請求項１ないし６のいずれか一項に記載のエレベータ照明装置。
【請求項８】
前記透光部材は樹脂からなることを特徴とする請求項１ないし７のいずれか一項に記載のエレベータ照明装置。
【発明の詳細な説明】
【技術分野】
【０００１】
本発明は、エレベータの乗りかごの天井に取り付けられるエレベータ照明装置に関する。
【背景技術】
【０００２】
エレベータの乗りかごの天井には、乗りかごの内部を照らすための照明装置が取り付けられている。照明装置は、天井に固定された発光部（例えば、蛍光灯）、および、その発光部を下方から覆うカバー（透光部）を有している。
【０００３】
従来、発光部の交換作業は、天井に設けられた点検口を開けて、乗りかごの上部から行われていた。しかし、近年、作業の安全性および乗りかごの上部の省スペース化などの観点から、発光部の交換作業は、乗りかごの上部から行われるようになってきている。そのため、カバーは、乗りかごの内部から着脱可能、若しくは、開閉可能となっている（例えば、特許文献１および２を参照）。
【先行技術文献】
【特許文献】
【０００４】
【特許文献１】特開平７−２２８４４１号公報
【特許文献２】特開平１０−７３４９号公報
【発明の概要】
【発明が解決しようとする課題】
【０００５】
上述の通り、発光部の交換作業時は、乗りかご内から透光部を着脱して行われ、加えて、この着脱作業が容易になることが望まれている。一方、照明装置において、その意匠性は重要であり、着脱作業が容易な構造であっても、意匠性を低下させることはできない。
【０００６】
そこで、本発明は、上述の課題を解決するためになされたものであり、乗りかご内から透光部を容易に着脱でき、かつ、意匠性の高いエレベータ照明装置を提供することを目的とする。
【課題を解決するための手段】
【０００７】
上記の目的を達成するために、本発明に係るエレベータ照明装置は、エレベータの乗りかごの天井に取り付けられるエレベータ照明装置であって、前記乗りかごの内部を照らす発光部と、前記天井に対して固定されるブラケットと、縁部が前記ブラケット上に載置されて、前記発光部の下側に配置されて、前記発光部からの光を下方に透過させる透光部材と、前記ブラケットに対して前記透光部材の縁部を着脱可能に固定する固定具と、前記透光部材の縁部、前記ブラケットおよび前記固定具を下方から覆って、前記固定具の下方が開放されるように前記透光部材から離れる方向に移動可能に取り付けられるカバー部と、を具備したことを特徴とする。
【発明の効果】
【０００８】
本発明によれば、乗りかご内から透光部材を容易に着脱でき、かつ、意匠性の高い照明装置を提供できる。
【図面の簡単な説明】
【０００９】
【図１】本発明の第１の実施形態に係るエレベータ照明装置がエレベータの乗りかごの天井に取り付けられた状態を示した斜視図である。
【図２】図１の平面図（下面図）である。
【図３】図２のIII−III矢視概略断面図である。
【図４】図２のIV−IV矢視断面図である。
【図５】図２のV−V矢視概略断面図である。
【図６】本発明の第１の実施形態に係るエレベータ照明装置の透光部材を示した斜視図である。
【図７】本発明の第１の実施形態に係るエレベータ照明装置のカバー部を示した斜視図である。
【図８】図２のVIII−VIII矢視断面図である。
【図９】図２のIX−IX矢視断面図であって、エレベータ照明装置の使用状態を示した図である。
【図１０】図２のIX−IX矢視断面図であって、透光部材の着脱作業状態を示した図である。
【図１１】本発明の第２の実施形態に係るエレベータ照明装置を説明するための図であって、図９と同様にエレベータ照明装置の使用状態を示した断面図である。
【図１２】本発明の第３の実施形態に係るエレベータ照明装置を説明するための図であって、図９と同様にエレベータ照明装置の使用状態を示した断面図である。
【図１３】本発明の第４の実施形態に係るエレベータ照明装置を説明するための図であって、図９と同様にエレベータ照明装置の使用状態を示した断面図である。
【図１４】本発明の第５の実施形態に係るエレベータ照明装置を説明するための図であって、図９と同様にエレベータ照明装置の使用状態を示した断面図である。
【図１５】本発明の第６の実施形態に係るエレベータ照明装置を説明するための図であって、図９と同様にエレベータ照明装置の使用状態を示した断面図である。
【図１６】本発明の第７の実施形態に係るエレベータ照明装置を説明するための図であって、図１０と同様に透光部材の着脱作業状態を示した断面図である。
【図１７】本発明の第８の実施形態に係るエレベータ照明装置を説明するための図であって、図１０と同様に透光部材の着脱作業状態を示した断面図である。
【図１８】本発明の第９の実施形態に係るエレベータ照明装置を説明するための図であって、図１０と同様にエレベータ照明装置の使用状態を示した断面図である。
【図１９】本発明の第１０の実施形態に係るエレベータ照明装置を説明するための図であって、図９と同様にエレベータ照明装置の使用状態を示した断面図である。
【図２０】本発明の第１０の実施形態に係るエレベータ照明装置を説明するための図であって、図１０と同様に透光部材の着脱作業状態を示した断面図である。
【図２１】本発明の第１１の実施形態に係るエレベータ照明装置を説明するための図であって、図９と同様にエレベータ照明装置の使用状態を示した断面図である。
【図２２】本発明の第１２の実施形態に係るエレベータ照明装置を説明するための図であって、図９と同様にエレベータ照明装置の使用状態を示した断面図である。
【図２３】本発明の第１３の実施形態に係るエレベータ照明装置を説明するための図であって、図９と同様にエレベータ照明装置の使用状態を示した断面図である。
【図２４】本発明の第１４の実施形態に係るエレベータ照明装置を説明するための図であって、図９と同様にエレベータ照明装置の使用状態を示した断面図である。
【図２５】本発明の第１５の実施形態に係るエレベータ照明装置を説明するための図であって、図９と同様にエレベータ照明装置の使用状態を示した断面図である。
【図２６】本発明の第１６の実施形態に係るエレベータ照明装置を説明するための図であって、図９と同様にエレベータ照明装置の使用状態を示した断面図である。
【図２７】本発明の第１７の実施形態に係るエレベータ照明装置を説明するための図であって、図９と同様にエレベータ照明装置の使用状態を示した断面図である。
【図２８】本発明の第１８の実施形態に係るエレベータ照明装置を説明するための図であって、図９と同様にエレベータ照明装置の使用状態を示した断面図である。
【図２９】本発明の第１９の実施形態に係るエレベータ照明装置を説明するための図であって、図９と同様にエレベータ照明装置の使用状態を示した断面図である。
【図３０】本発明の第２０の実施形態に係るエレベータ照明装置を説明するための図であって、図９と同様にエレベータ照明装置の使用状態を示した断面図である。
【図３１】本発明の第２１の実施形態に係るエレベータ照明装置を説明するための図であって、図９と同様にエレベータ照明装置の使用状態を示した断面図である。
【図３２】本発明の第２２の実施形態に係るエレベータ照明装置を説明するための図であって、図９と同様にエレベータ照明装置の使用状態を示した断面図である。
【発明を実施するための形態】
【００１０】
［第１の実施形態］
本発明に係るエレベータ照明装置の第１の実施形態について、図１ないし１０を用いて説明する。
【００１１】
本実施形態に係るエレベータ照明装置１の構造の概略について、図１ないし図５を用いて説明する。図１は、本発明の第１の実施形態に係るエレベータ照明装置がエレベータの乗りかごの天井に取り付けられた状態を示した斜視図である。図２は、図１の平面図（下面図）である。図３は、図２のIII−III矢視概略断面図である。図４は、図２のIV−IV矢視断面図である。図５は、図２のV−V矢視概略断面図である。
【００１２】
エレベータは、床（図示しない。）、天井９０、および、側面９１を形成する側板に囲まれた乗りかごを有する。本実施形態に係るエレベータ照明装置（以下、単に「照明装置」という。）１は、発光部１０、ブラケット２０、透光部材３０、固定具４０、カバー部５０、パネル６０を有し、乗りかごの天井９０に取り付けられ、乗りかごの内部を照らす。
【００１３】
パネル６０は、例えばアルミニウム等の金属からなり、直線的に延びた中空の略直方体に形成されている。パネル６０は、底面を形成する１枚の平面部６１、側面を形成して互いに対向する２枚の側面部６２、および、端面を形成して互いに対向する２枚の端面部６３を有している。エレベータ照明装置１は、４枚のパネル６０を有していて、４枚のパネル６０は、互いに間隔を空けて並行して配置され、ボルト（図示しない。）により天井９０に固定されている。
【００１４】
発光部１０は、例えば直管形の蛍光灯であって、本実施形態では、３本の蛍光灯は、それぞれ４枚のパネル６０の３つの間隔に配置され、天井９０に固定されている。発光部１０は、乗りかごの内部を照らすためのものであり、例えば白熱灯やＬＥＤ等であっても良い。
【００１５】
透光部材３０は、発光部１０からの光を透過させることができる部材、例えばアクリルからなり、直線的に延びた略直方体に形成されている。本実施形態では、３本の透光部材３０は、それぞれ４枚のパネル６０の３つの間隔に配置され、ブラケット２０を介して天井９０に着脱可能に取り付けられている。透光部材３０は、発光部１０の下側に発光部１０に沿って配置され、発光部１０を下方から保護し、照明装置１の意匠性を向上させる役割を果たす。
【００１６】
カバー部５０は、例えばアルミニウム等の金属からなり、４枚のパネル６０の３つの間隔毎に２つずつ設けられている。カバー部５０は、透光部材３０の両端に配置されて、透光部材３０の端部３１を下方から覆っている。
【００１７】
本実施形態に係るエレベータ照明装置１の構造の詳細について、図６ないし図１０を用いて説明する。図６は、本発明の第１の実施形態に係るエレベータ照明装置の透光部材を示した斜視図である。図７は、本発明の第１の実施形態に係るエレベータ照明装置のカバー部を示した斜視図である。図８は、図２のVIII−VIII矢視断面図である。図９は、図２のIX−IX矢視断面図であって、エレベータ照明装置の使用状態を示した図である。図１０は、図２のIX−IX矢視断面図であって、透光部材の着脱作業状態を示した図である。
【００１８】
ブラケット２０は、４枚のパネル６０の３つの間隔毎に２つずつ設けられ、それぞれが天井９０に固定されている。各間隔に設けられた２つのブラケット２０は、およそ透光部材３０の両端に互いに対向するように配置されている。各ブラケット２０には、上下に間隔をあけた２つの水平部２１，２２が形成されていて、２つの水平部２１，２２には締結孔２４，２５が形成されている。
【００１９】
透光部材３０の端部３１は、水平部２１に載置されている。透光部材３０の端部３１には、上下に貫通する貫通孔３２が形成されている。
【００２０】
本実施形態において、固定具４０は、ボルト（ねじ）である。ボルト４０は、水平部２１の締結孔２４，透光部材３０の貫通孔３２、水平部２２の締結孔２５の順に挿入されて、ブラケット２０と透光部材３０の端部３１とを着脱可能に締結している。よって、締結時には、ボルト４０は、その頭部が下向きになって配置されている。なお、寸法誤差の問題を解消するために、透光部材３０の貫通孔３２の径は、ボルト４０の径に比べて大きく形成されていると良い。
【００２１】
カバー部５０は、例えばアルミニウム等の金属からなり、中空の略直方体に形成されている。カバー部５０は、底面を形成する１枚の平面部５１、側面を形成して互いに対向する２枚の側面部５２、および、一端面を形成する１枚の端面部５３を有している。カバー部は、透光部材３０の縁部３１、ブラケット２０、および、固定具（ボルト）４０を下方から覆っている。
【００２２】
カバー部５０の２枚の側面部５２のそれぞれには、水平方向に延びた２つのピン挿入孔５５，５６が形成されている。カバー部５０のピン挿入孔５５，５６には、隣接したパネル６０の側面部６２から突出した２本のピン６５，６６が挿入されている。そのため、カバー部５０は、水平方向に移動可能な状態で取り付けられている。
【００２３】
本実施形態に係るエレベータ照明装置１の透光部材３０の着脱作業方法について、図９および図１０を用いて説明する。
【００２４】
照明装置１の発光部（蛍光灯）１０を交換する際、透光部材３０を取り外す必要がある。まず、乗りかご内の作業者は、カバー部５０を固定具（ボルト）４０の下方が開放されるように透光部材３０から離れる方向（図９の右方向）に移動させる。移動後、冶具（例えば、ドライバ）９３を用いて固定具（ボルト）４０を取り外す。その後、透光部材３０を取り外して、発光部（蛍光灯）１０を交換する。
【００２５】
発光部（蛍光灯）１０を交換した後、透光部材３０の端部３１をブラケット２０の水平部２１に載置する。その後、固定具（ボルト）４０を、水平部２１の締結孔２４，透光部材３０の貫通孔３２、水平部２２の締結孔２５の順に下方から挿入して、ブラケット２０と透光部材３０と締結する。締結後、カバー部５０を固定具（ボルト）４０の下方が覆われるように透光部材３０に近づく方向（図１０の左方向）に移動させる。
【００２６】
本実施形態に係るエレベータ照明装置１の効果について説明する。
【００２７】
本実施形態によれば、カバー部５０は、透光部材３０の縁部３１、ブラケット２０、および、固定具４０を下方から覆っている。そのため、透光部材３０の縁部３１、ブラケット２０、および、固定具４０は、露出しておらず、乗りかご内の利用者から視認されない。したがって、照明装置１の意匠性が高く、また、利用者のいたずら等による被害を少なくすることができる。
【００２８】
また、透光部材３０は、その端部３１が固定具４０によりブラケットに着脱可能に固定されている。そのため、エレベータの可動による振動等によって透光部材３０が落下したり、異音が生じることを防止できる。
【００２９】
また、カバー部５０が、固定具４０の下方が開放されるように透光部材３０から離れる方向に移動可能に取り付けられている。そのため、乗りかご内から透光部材３０の着脱作業（すなわち、発光部１０の着脱作業）を容易に行うことができる。
【００３０】
［第２の実施形態］
本発明に係るエレベータ照明装置の第２の実施形態について、図１１を用いて説明する。図１１は、本発明の第２の実施形態に係るエレベータ照明装置を説明するための図であって、図９と同様にエレベータ照明装置の使用状態を示した断面図である。なお、本実施形態は、第１の実施形態の変形例であるため、重複説明を省略する。
【００３１】
本実施形態では、照明装置１は、カバー部５０内に、付勢手段７０、具体的には、コイルばね７０を有している。コイルばね７０は、その一端が固定板７１を介して天井に固定され、他端が固定板７２を介してカバー部５０に固定されている。そして、コイルばね７０は、カバー部５０を透光部材３０に近づく方向（図１１の左方向）に付勢している。
【００３２】
本実施形態によれば、エレベータの可動による振動や利用者のいたずら等によって、カバー部５０が透光部材３０から離れる方向（図１１の右方向）に移動して、透光部材３０の端部３１やブラケット２０等が露出してしまうことを防ぎ、意匠性が損なわれることを抑制できる。
【００３３】
［第３の実施形態］
本発明に係るエレベータ照明装置の第３の実施形態について、図１２を用いて説明する。図１２は、本発明の第３の実施形態に係るエレベータ照明装置を説明するための図であって、図９と同様にエレベータ照明装置の使用状態を示した断面図である。なお、本実施形態は、第２の実施形態の変形例であるため、重複説明を省略する。
【００３４】
本実施形態では、照明装置１は、カバー部５０内に、付勢手段７０、具体的には、板ばね７０を有している。板ばね７０は、カバー部５０を透光部材３０に近づく方向（図１２の左方向）に付勢している。
【００３５】
［第４の実施形態］
本発明に係るエレベータ照明装置の第４の実施形態について、図１３を用いて説明する。図１３は、本発明の第４の実施形態に係るエレベータ照明装置を説明するための図であって、図９と同様にエレベータ照明装置の使用状態を示した断面図である。なお、本実施形態は、第２の実施形態の変形例であるため、重複説明を省略する。
【００３６】
本実施形態では、照明装置１は、カバー部５０内に、付勢手段７０、具体的には、磁石７０を有している。磁石７０は、固定板７１を介して天井９０に固定されている。磁石７０は、カバー部５０に接続された固定板７２と互いに引き付け合い、カバー部５０を透光部材３０に近づく方向（図１３の左方向）に付勢している。
【００３７】
［第５の実施形態］
本発明に係るエレベータ照明装置の第５の実施形態について、図１４を用いて説明する。図１４は、本発明の第５の実施形態に係るエレベータ照明装置を説明するための図であって、図９と同様にエレベータ照明装置の使用状態を示した断面図である。なお、本実施形態は、第１の実施形態の変形例であるため、重複説明を省略する。
【００３８】
本実施形態では、照明装置１は、カバー部５０内にロック手段７６を有している。ロック手段７６は、天井９０に固定された被掛止部７７、および、カバー部５０に固定された掛止部７８を有している。掛止部７８は、カバー部５０が透光部材３０の縁部３１やブラケット２０等を下方から覆った状態（以下、「使用状態」という。）において、被掛止部７７に掛止されるように付勢されている。そのため、使用状態においては、カバー部５０は、透光部材３０から離れる方向（図１４の右方向）に移動しないように掛止されている。なお、掛止部７８の一端は、カバー部５０の端面部５３からカバー部５０の外部に突出していて、被掛止部７７と掛止部７８との掛止を解除する操作部７９となっている。
【００３９】
本実施形態では、透光部材３０の着脱作業時には、操作部７９を図１４の上方向（矢印９６の方向）に押して、掛止部７８を反時計回りに回転させて、被掛止部７７と掛止部７８との掛止を解除した後、カバー部材を透光部材３０から離れた状態（以下、「着脱作業状態」という。）に移動させる。
【００４０】
本実施形態によれば、エレベータの可動による振動や利用者のいたずら等によって、カバー部５０が透光部材３０から離れる方向（図１４の右方向）に移動して、透光部材３０の端部３１やブラケット２０等が露出してしまうことを防ぎ、意匠性が損なわれることを抑制できる。
【００４１】
［第６の実施形態］
本発明に係るエレベータ照明装置の第６の実施形態について、図１５を用いて説明する。図１５は、本発明の第６の実施形態に係るエレベータ照明装置を説明するための図であって、図９と同様にエレベータ照明装置の使用状態を示した断面図である。なお、本実施形態は、第５の実施形態の変形例であるため、重複説明を省略する。
【００４２】
本実施形態では、透光部材３０の着脱作業時には、操作部７９を図１５の下方向（矢印９７の方向）に押して、掛止部７８を時計回りに回転させて、被掛止部７７と掛止部７８との掛止を解除した後、カバー部３０を着脱作業状態に移動させる。
【００４３】
［第７の実施形態］
本発明に係るエレベータ照明装置の第７の実施形態について、図１６を用いて説明する。図１６は、本発明の第７の実施形態に係るエレベータ照明装置を説明するための図であって、図１０と同様に透光部材の着脱作業状態を示した断面図である。なお、本実施形態は、第５の実施形態の変形例であるため、重複説明を省略する。
【００４４】
本実施形態では、掛止部７８に斜面８０が形成されていて、カバー部３０を着脱作業状態から使用状態に移動させると、被掛止部７７が掛止部７８の斜面８０に当接して、掛止部７８を時計回りに回転させて、掛止部７８と被掛止部７７とが掛止される。そのため、本実施形態によれば、掛止部７８と被掛止部７７との掛止時に、操作部７９を操作する必要がなく、着脱作業がさらに容易になる。
【００４５】
［第８の実施形態］
本発明に係るエレベータ照明装置の第８の実施形態について、図１７を用いて説明する。図１７は、本発明の第８の実施形態に係るエレベータ照明装置を説明するための図であって、図１０と同様に透光部材の着脱作業状態を示した断面図である。なお、本実施形態は、第６の実施形態の変形例であるため、重複説明を省略する。
【００４６】
本実施形態では、掛止部７８に斜面８０が形成されていて、カバー部３０を着脱作業状態から使用状態に移動させると、被掛止部７７が掛止部７８の斜面８０に当接して、掛止部７８を時計回りに回転させて、掛止部７８と被掛止部７７とが掛止される。そのため、本実施形態によれば、掛止部７８と被掛止部７７との掛止時に、操作部７９を操作する必要がなく、着脱作業がさらに容易になる。
【００４７】
［第９の実施形態］
本発明に係るエレベータ照明装置の第９の実施形態について、図１８を用いて説明する。図１７は、本発明の第９の実施形態に係るエレベータ照明装置を説明するための図であって、図１０と同様にエレベータ照明装置の使用状態を示した断面図である。なお、本実施形態は、第６の実施形態の変形例であるため、重複説明を省略する。
【００４８】
本実施形態では、掛止部７８は、ヒンジ８１を介してカバー部５０の端面部５３に取り付けられている。透光部材３０の着脱作業時には、操作部７９を図１５の下方向（矢印９７の方向）に押して、掛止部７８を時計回りに回転させて、被掛止部７７と掛止部７８との掛止を解除した後、カバー部３０を着脱作業状態に移動させる。
【００４９】
［第１０の実施形態］
本発明に係るエレベータ照明装置の第１０の実施形態について、図１９および図２０を用いて説明する。図２０は、本発明の第１０の実施形態に係るエレベータ照明装置を説明するための図であって、図９と同様にエレベータ照明装置の使用状態を示した断面図である。図２０は、本発明の第１０の実施形態に係るエレベータ照明装置を説明するための図であって、図１０と同様に透光部材の着脱作業状態を示した断面図である。なお、本実施形態は、第２の実施形態の変形例であるため、重複説明を省略する。
【００５０】
本実施形態では、カバー部５０は、透光部材３０から離れて位置するピン６６を中心にして、図１９の反時計回りに回転可能に取り付けられている。すなわち、カバー部５０は、図１９の使用状態から、回転して透光部材３０の端部から離れて、着脱状態となる。また、なお、カバー部５０の側面部５２は、回転できるように面取りされている。
【００５１】
また、カバー部５０は、第２の実施形態と同様に、付勢手段（コイルばね）７０により透光部材３０に近づく方向（図１９の時計回りの方向）に付勢されている。
【００５２】
本実施形態によれば、エレベータの可動による振動や利用者のいたずら等によって、カバー部５０が透光部材３０から離れる方向（図１９の反時計回りの方向）に移動して、透光部材３０の端部３１やブラケット２０等が露出してしまうことを防ぎ、意匠性が損なわれることを抑制できる。
【００５３】
［第１１の実施形態］
本発明に係るエレベータ照明装置の第１１の実施形態について、図２１を用いて説明する。図２１は、本発明の第１１の実施形態に係るエレベータ照明装置を説明するための図であって、図９と同様にエレベータ照明装置の使用状態を示した断面図である。なお、本実施形態は、第１０の実施形態の変形例であるため、重複説明を省略する。
【００５４】
本実施形態では、照明装置１は、カバー部５０内に、付勢手段７０、具体的には、板ばね７０を有している。板ばね７０は、カバー部５０を透光部材３０に近づく方向（図２１の時計回りの方向）に付勢している。
【００５５】
［第１２の実施形態］
本発明に係るエレベータ照明装置の第１２の実施形態について、図２２を用いて説明する。図２２は、本発明の第１２の実施形態に係るエレベータ照明装置を説明するための図であって、図９と同様にエレベータ照明装置の使用状態を示した断面図である。なお、本実施形態は、第１０の実施形態の変形例であるため、重複説明を省略する。
【００５６】
本実施形態では、照明装置１は、カバー部５０内に、付勢手段７０、具体的には、磁石７０を有している。磁石７０は、天井９０に固定されている。磁石７０は、カバー部５０に接続された固定板７２と互いに引き付け合い、カバー部５０を透光部材３０に近づく方向（図２２の時計回りの方向）に付勢している。
【００５７】
［第１３の実施形態］
本発明に係るエレベータ照明装置の第１３の実施形態について、図２３を用いて説明する。図２３は、本発明の第１３の実施形態に係るエレベータ照明装置を説明するための図であって、図９と同様にエレベータ照明装置の使用状態を示した断面図である。なお、本実施形態は、第１０の実施形態の変形例であるため、重複説明を省略する。
【００５８】
本実施形態では、照明装置１は、カバー部５０内にロック手段７６を有している。ロック手段７６は、天井９０に固定された被掛止部７７、および、カバー部５０に固定された掛止部７８を有している。掛止部７８は、使用状態において、被掛止部７７に掛止されるように付勢されている。そのため、使用状態においては、カバー部５０は、透光部材３０から離れる方向（図２３の反時計回りの方向）に移動しないように掛止されている。なお、掛止部７８の一端は、カバー部５０の端面部５３からカバー部５０の外部に突出していて、被掛止部７７と掛止部７８との掛止を解除する操作部７９となっている。
【００５９】
本実施形態では、透光部材３０の着脱作業時には、操作部７９を図２３の上方向（矢印９６の方向）に押して、掛止部７８を反時計回りに回転させて、被掛止部７７と掛止部７８との掛止を解除した後、カバー部材を着脱作業状態に移動させる。
【００６０】
本実施形態によれば、エレベータの可動による振動や利用者のいたずら等によって、カバー部５０が透光部材３０から離れる方向（図２３の反時計回りの方向）に移動して、透光部材３０の端部３１やブラケット２０等が露出してしまうことを防ぎ、意匠性が損なわれることを抑制できる。
【００６１】
［第１４の実施形態］
本発明に係るエレベータ照明装置の第１４の実施形態について、図２４を用いて説明する。図２４は、本発明の第１４の実施形態に係るエレベータ照明装置を説明するための図であって、図９と同様にエレベータ照明装置の使用状態を示した断面図である。なお、本実施形態は、第１３の実施形態の変形例であるため、重複説明を省略する。
【００６２】
本実施形態では、透光部材３０の着脱作業時には、操作部７９を図２４の下方向（矢印９７の方向）に押して、掛止部７８を時計回りに回転させて、被掛止部７７と掛止部７８との掛止を解除した後、カバー部３０を着脱作業状態に移動させる。
【００６３】
［第１５の実施形態］
本発明に係るエレベータ照明装置の第１５の実施形態について、図２５を用いて説明する。図２５は、本発明の第１５の実施形態に係るエレベータ照明装置を説明するための図であって、図９と同様にエレベータ照明装置の使用状態を示した断面図である。なお、本実施形態は、第１３の実施形態の変形例であるため、重複説明を省略する。
【００６４】
本実施形態では、掛止部７８に斜面８０が形成されていて、カバー部３０を着脱作業状態から使用状態に移動させると、被掛止部７７が掛止部７８の斜面８０に当接して、掛止部７８を時計回りに回転させて、掛止部７８と被掛止部７７とが掛止される。そのため、本実施形態によれば、掛止部７８と被掛止部７７との掛止時に、操作部７９を操作する必要がなく、着脱作業がさらに容易になる。
【００６５】
［第１６の実施形態］
本発明に係るエレベータ照明装置の第１６の実施形態について、図２６を用いて説明する。図２６は、本発明の第１６の実施形態に係るエレベータ照明装置を説明するための図であって、図９と同様にエレベータ照明装置の使用状態を示した断面図である。なお、本実施形態は、第１４の実施形態の変形例であるため、重複説明を省略する。
【００６６】
本実施形態では、掛止部７８に斜面８０が形成されていて、カバー部３０を着脱作業状態から使用状態に移動させると、被掛止部７７が掛止部７８の斜面８０に当接して、掛止部７８を時計回りに回転させて、掛止部７８と被掛止部７７とが掛止される。そのため、本実施形態によれば、掛止部７８と被掛止部７７との掛止時に、操作部７９を操作する必要がなく、着脱作業がさらに容易になる。
【００６７】
［第１７の実施形態］
本発明に係るエレベータ照明装置の第１７の実施形態について、図２７を用いて説明する。図２７は、本発明の第１７の実施形態に係るエレベータ照明装置を説明するための図であって、図９と同様にエレベータ照明装置の使用状態を示した断面図である。なお、本実施形態は、第１３の実施形態の変形例であるため、重複説明を省略する。
【００６８】
本実施形態では、透光部材３０の着脱作業時には、操作部７９を図２７の右方向（矢印９８の方向）に引き出して、掛止部７８を反時計回りに回転させて、被掛止部７７と掛止部７８との掛止を解除した後、カバー部材を着脱作業状態に移動させる。
【００６９】
［第１８の実施形態］
本発明に係るエレベータ照明装置の第１８の実施形態について、図２８を用いて説明する。図２８は、本発明の第１８の実施形態に係るエレベータ照明装置を説明するための図であって、図９と同様にエレベータ照明装置の使用状態を示した断面図である。なお、本実施形態は、第１の実施形態の変形例であるため、重複説明を省略する。
【００７０】
本実施形態では、カバー部５０の各側面部５２には、図２８において右上に傾いて延びたピン貫通孔５５，５６が形成されている。したがって、透光部材３０の着脱作業時には、カバー部５０を図２８の右上方向（矢印１０１の方向）に移動させて、着脱作業状態にする。
【００７１】
本実施形態によれば、カバー部材の自重により、カバー部５０が透光部材３０から離れる方向（図２９の右上方向）に移動することを防ぐことができる。したがって、エレベータの可動による振動や利用者のいたずら等によって、透光部材３０の端部３１やブラケット２０等が露出してしまうことを防ぎ、意匠性が損なわれることを抑制できる。
【００７２】
［第１９の実施形態］
本発明に係るエレベータ照明装置の第１９の実施形態について、図２９を用いて説明する。図２９は、本発明の第１９の実施形態に係るエレベータ照明装置を説明するための図であって、図９と同様にエレベータ照明装置の使用状態を示した断面図である。なお、本実施形態は、第１の実施形態の変形例であるため、重複説明を省略する。
【００７３】
本実施形態では、カバー部５０の各側面部５２には、図２９に示すような形状のピン貫通孔５５，５６が形成されている。したがって、透光部材３０の着脱作業時には、カバー部５０を図２９の上方向に移動させた後、右方向に移動させて（矢印１０２のように移動させて）、着脱作業状態にする。
【００７４】
本実施形態によれば、カバー部材の自重により、カバー部５０が透光部材３０から離れる方向（図２９の上方向）に移動することを防ぐことができる。したがって、エレベータの可動による振動や利用者のいたずら等によって、透光部材３０の端部３１やブラケット２０等が露出してしまうことを防ぎ、意匠性が損なわれることを抑制できる。
【００７５】
［第２０の実施形態］
本発明に係るエレベータ照明装置の第２０の実施形態について、図３０を用いて説明する。図３０は、本発明の第２０の実施形態に係るエレベータ照明装置を説明するための図であって、図９と同様にエレベータ照明装置の使用状態を示した断面図である。なお、本実施形態は、第１の実施形態の変形例であるため、重複説明を省略する。
【００７６】
本実施形態では、カバー部５０の各側面部５２には、図３０に示すような形状のピン貫通孔５５，５６が形成されている。したがって、透光部材３０の着脱作業時には、カバー部５０を図３０の右方向に移動させた後、反時計回りに回転移動させて（矢印１０２のように移動させて）、着脱作業状態にする。
【００７７】
［第２１の実施形態］
本発明に係るエレベータ照明装置の第２１の実施形態について、図３１を用いて説明する。図３１は、本発明の第２１の実施形態に係るエレベータ照明装置を説明するための図であって、図９と同様にエレベータ照明装置の使用状態を示した断面図である。なお、本実施形態は、第１の実施形態の変形例であるため、重複説明を省略する。
【００７８】
本実施形態では、透光部材３０の端部３１には、下方に開口したねじ穴３３が形成されている。また、固定具４０は、ねじであり、ねじ４０は、水平部２１の締結孔２４，透光部材３０のねじ孔３３の順に挿入されて、ブラケット２０と透光部材３０の端部３１とを着脱可能に締結している。本実施形態によれば、ナット等を利用する必要がないため、透光部材３０をさらに容易に着脱できる。
【００７９】
［第２２の実施形態］
本発明に係るエレベータ照明装置の第２２の実施形態について、図３２を用いて説明する。図３２は、本発明の第２２の実施形態に係るエレベータ照明装置を説明するための図であって、図９と同様にエレベータ照明装置の使用状態を示した断面図である。なお、本実施形態は、第１の実施形態の変形例であるため、重複説明を省略する。
【００８０】
本実施形態では、固定具４０は、クリップ（弾性体によって透光部材３０の端部３１を挟み込む構造体）あり、透光部材３０の端部３１は、クリップ４０により、ブラケット２０に対して着脱可能に固定されている。
【００８１】
［他の実施形態］
上記の実施形態は単なる例示であって、本発明はこれらに限定されるものではない。第１の実施形態では、対向して配置されたブラケット２０に対して、透光部材３０の両側の端部３１を固定しているが、片側の端部３１のみを固定しても良い。また、上記の実施形態の特徴部分を組み合わせても良い。
【符号の説明】
【００８２】
１…エレベータ照明装置、１０…発光部、２０…ブラケット、２１，２２…水平部、２４，２５…締結孔、３０…透光部材、３１…透光部材の端部、３２…貫通孔、４０…固定具、５０…カバー部、５１…カバー部の平面部、５２…カバー部の側面部、５３…カバー部の端面部、５５，５６…ピン挿入孔、６０…パネル、６１…パネルの平面部、６２…パネルの側面部、６３…パネルの端面部、６５，６６…パネルのピン、７０…付勢手段、７１，７２…固定板、７６…ロック手段、７７…被掛止部、７８…掛止部、７９…操作部、９０…天井、９１…側板、９２…冶具
【図１】
2011068452.tif 000003
【図２】
2011068452.tif 000004
【図３】
2011068452.tif 000005
【図４】
2011068452.tif 000006
【図５】
2011068452.tif 000007
【図６】
2011068452.tif 000008
【図７】
2011068452.tif 000009
【図８】
2011068452.tif 000010
【図９】
2011068452.tif 000011
【図１０】
2011068452.tif 000012
【図１１】
2011068452.tif 000013
【図１２】
2011068452.tif 000014
【図１３】
2011068452.tif 000015
【図１４】
2011068452.tif 000016
【図１５】
2011068452.tif 000017
【図１６】
2011068452.tif 000018
【図１７】
2011068452.tif 000019
【図１８】
2011068452.tif 000020
【図１９】
2011068452.tif 000021
【図２０】
2011068452.tif 000022
【図２１】
2011068452.tif 000023
【図２２】
2011068452.tif 000024
【図２３】
2011068452.tif 000025
【図２４】
2011068452.tif 000026
【図２５】
2011068452.tif 000027
【図２６】
2011068452.tif 000028
【図２７】
2011068452.tif 000029
【図２８】
2011068452.tif 000030
【図２９】
2011068452.tif 000031
【図３０】
2011068452.tif 000032
【図３１】
2011068452.tif 000033
【図３２】
2011068452.tif 000034